(57)【要約】【課題】電力線搬送通信用のモデムを使用する大規模施設用照明器制御システムを得る。【解決手段】電力系統１は、電力支線１１００を介して照明器１１が接続されている。スイッチ１１０２は、照明器１１に電力を供給したり遮断する目的で、照明器１１に接続されている。スイッチ１１０２は、例えば、半導体リレーで構成することも可能であり、外部からのオンオフ制御信号により電力を供給遮断することができる。このオンオフ制御信号は、ＰＬＣ子モデム１１０１により生成される。ＰＬＣ子モデム１１０１は、ＰＬＣ親モデム９００２から電力系統１に重畳されたＰＬＣ信号を電力支線１１００に接続されたＰＬＣ信号結合器１１０３から取り出す。そして、ＰＬＣ子モデム１１０１は、この取り出されたＰＬＣ信号に基づきオンオフ制御信号をスイッチ１１０２に送信する。【選択図】      図３
2008199250.tif 000002
【特許請求の範囲】
【請求項１】
複数の照明器と、
該照明器と一対をなし該照明器をオンオフする少なくとも２以上のスイッチと、
該スイッチのオンオフを制御する制御装置と、
該制御装置から該スイッチへのオンオフ信号を伝送するＰＬＣモデムを備え、
該ＰＬＣモデムは該照明器への電力供給に用いられる電力線の一部を信号伝送路として用いられ、
該制御装置は該ＰＬＣモデムを通して任意の該スイッチをオンオフする制御をするように構成されていることを特徴とする大規模施設用照明器制御システム。
【請求項２】
前記制御装置は、前記複数の照明器を少なくとも二つの群に分けた少なくとも一つの群パターンを記憶する群パターン記憶機能と記憶された該群パターンから任意の群パターンを選択可能な群パターン選択機能を有し、群単位に照明器がオンオフされるように前記スイッチをオンオフ制御することを特徴とする請求項１に記載の大規模施設用照明器制御システム。
【請求項３】
前記制御装置は、表示手段と入力手段とを備え、
該表示手段は、前記複数の照明器の位置を示す記号を平面的または立体的に表示し、
該入力手段は、該表示手段が表示する該記号を指定する外部入力を読み取り、
該制御装置は、該入力手段により読み取られた該記号に対応する照明器のスイッチをオンオフするように制御することを特徴とする請求項１または２に記載の大規模施設用照明器制御システム。
【発明の詳細な説明】
【技術分野】
【０００１】
本発明は、電力線搬送通信（Power Line Communication：ＰＬＣ）用のモデム（以下、ＰＬＣモデムという。）を使用する大規模施設用照明器制御システムに関する。
【背景技術】
【０００２】
電力線に端末器とその端末器と一対になった照明器とが接続され、制御装置がその端末器に対して電力線に信号を重畳して送信し、その信号を受けた端末器が照明器をオンオフするシステムがある（特許文献１）。
【特許文献１】特許第２７６８９９９号公報
【発明の開示】
【発明が解決しようとする課題】
【０００３】
しかしながら、特許文献１では、制御装置が照明器を制御するにあたり、大規模施設において、複数の照明器を任意に制御する考慮がなされていない。例えば、体育館、工場、事務所、ショッピングセンタや劇場等の大規模施設の広い空間においては、その利用状況に応じて、一部の照明のみを点灯／消灯することが望ましく、更にその利用態様により点灯／消灯は種々異なる場合が多い。本件の発明者は、制御装置が複数の照明器を任意に制御できる点に着目して、本発明を創作するに至った。本発明は、ＰＬＣモデムを使って複数の照明器を任意に制御する大規模施設用照明器制御システムを提供することを目的とする。
【課題を解決するための手段】
【０００４】
第一の発明にかかる大規模施設用照明器制御システムは、複数の照明器と、該照明器と一対をなし該照明器をオンオフする少なくとも２以上のスイッチと、該スイッチのオンオフを制御する制御装置と、該制御装置から該スイッチへのオンオフ信号を伝送するＰＬＣモデムを備え、該ＰＬＣモデムは該照明器への電力供給に用いられる電力線の一部を信号伝送路として用いられ、該制御装置は該ＰＬＣモデムを通して任意の該スイッチをオンオフする制御をするように構成されていることを特徴とする。
【０００５】
第一の発明によれば、大規模施設において、制御装置は複数の照明器を任意にオンオフの制御ができるため、必要な領域に効率的に照明をすることができる。
【０００６】
第二の発明にかかる大規模施設用照明器制御システムにおいて、制御装置は、前記複数の照明器を少なくとも二つの群に分けた少なくとも一つの群パターンを記憶する群パターン記憶機能と記憶された該群パターンから任意の群パターンを選択可能な群パターン選択機能を有し、群単位に照明器がオンオフされるように前記スイッチをオンオフ制御することを特徴とする。
【０００７】
第二の発明によれば、群パターンに従った照明器群の点灯や消灯が可能であるため、個々の照明器の点灯や消灯を制御する場合と比較して制御の操作が簡便になる。
【０００８】
第三の発明にかかる大規模施設用照明器制御システムにおいて、制御装置は、表示手段と入力手段とを備え、該表示手段は、前記複数の照明器の位置を示す記号を平面的または立体的に表示し、該入力手段は、該表示手段が表示する該記号を指定する外部入力を読み取り、該制御装置は、該入力手段により読み取られた該記号に対応する照明器のスイッチをオンオフするように制御することを特徴とする。
【０００９】
第二の発明によれば、制御装置は表示手段と入力手段を備え、表示手段に表示される照明器の位置を示す記号を入力手段により指定するだけで、簡便に複数の照明器を任意にオンオフ制御ができるため、必要な領域や必要な照明器毎により細かく効率的に照明をすることができる。
【発明の効果】
【００１０】
本発明によれば、制御装置がＰＬＣモデムを通じて複数の照明器と一対のスイッチに対して制御信号を送信するため、複数の照明器を任意にオンオフ制御することができる。このため、大規模施設においては、より効率的な照明を施すことができる。
【発明を実施するための最良の形態】
【００１１】
以下、本発明の実施の形態について、図面を参照して詳細に説明する。説明にあたって、体育館を例に説明するが、本発明は体育館以外の大規模施設、例えば、工場、事務所、ショッピングセンタや劇場などでも実施することは可能である。また、異なる図面において同一または相応する符号を付した要素は、同一または相応する要素を示すものとする。
【００１２】
（体育館の照明器）
図１と図２は、体育館１００の天井に設置された３２個の照明器１１〜４８の設置とこれらの照明器に電力を供給する電力系統１〜８を表す。電力系統１は、照明器１１、照明器２１、照明器３１および照明器４１に電力を供給する。同様に、電力系統２は、照明器１２、照明器２２、照明器３２および照明器４２に電力を供給し、電力系統８は、照明器１８、照明器２８、照明器３８および照明器４８に電力を供給する。
【００１３】
そして、照明スイッチ盤９０００は、電力系統１〜８についてそれぞれ電力供給を行う。即ち、照明スイッチ盤９０００は、電力系統毎に接続された照明器をオンオフすることができる。
【００１４】
例えば、図１において、体育館１００のコートＡ（１１０）を使用する場合、照明スイッチ盤９０００の電力系統１〜４をオンにすればよい。コートＢ（１２０）を使用する場合、照明スイッチ盤９０００の電力系統５〜８をオンにすればよい。
【００１５】
しかし、図２において、同じ体育館１００のフィールド１（１３０）を使用する場合、照明スイッチ盤９０００の電力系統１〜８のすべてをオンしなければならない。これでは、フィールド２（１４０）を使用しない場合、フィールド２（１４０）も照明されてしまい電力の無駄が生じる。
【００１６】
（照明器制御システムの照明器側）
図３は、照明器制御システムの照明器側の機器構成を示す。電力系統１は、電力支線１１００を介して照明器１１が接続されている。なお、図示されていないが、照明器２１、照明器３１および照明器４１も電力系統１に接続されている。
【００１７】
スイッチ１１０２は、照明器１１に電力を供給したり遮断する目的で、照明器１１に接続されている。スイッチ１１０２は、例えば、半導体リレー、機械式電磁気リレーなどで構成することも可能であり、外部からのオンオフ制御信号により電力を供給遮断することができる構成であれば、リレーの種類に限定されない。
【００１８】
この外部からのオンオフ制御信号は、ＰＬＣ子モデム１１０１により生成される。ＰＬＣ子モデム１１０１は、後述するＰＬＣ親モデム９００２（図示せず）から電力系統１に重畳されたＰＬＣ信号を電力支線１１００に接続されたＰＬＣ信号結合器１１０３から取り出す。そして、ＰＬＣ子モデム１１０１は、この取り出されたＰＬＣ信号に基づきオンオフ制御信号をスイッチ１１０２に送信する。
【００１９】
（照明器制御システムの制御装置側）
図４乃至図６は、照明器制御システムの制御装置側機器構成を示す。図４において、電力系統１〜８（図示せず）に電力を供給する電力系統９は、ＰＬＣ信号結合器９０１０を介してＰＬＣ親モデム９００２と接続されている。そして、制御装置である制御用コンピュータ９００３は通信線９０１１を介してＰＬＣ親モデム９００２に接続される。
【００２０】
この制御用コンピュータ９００３が照明器１１〜４８（図示せず）に対して個別にオンオフ制御をする場合、制御用コンピュータ９００３はＰＬＣ親モデム９００２に対して照明器１１〜４８毎にオンオフ命令信号を送信する。この命令を受けたＰＬＣ親モデム９００２は、照明器１１〜４８に対応するＰＬＣ子モデム（図示せず）にオンオフ命令信号に基づくＰＬＣ信号を送信する。
【００２１】
例えば、照明器１１の照明をオンする場合、制御用コンピュータ９００３の操作者は制御用コンピュータ９００３の表示手段であるディスプレーを見ながら、入力手段であるポインティングデバイスを使って照明器１１の照明をオンする。そうすると、制御用コンピュータ９００３は、信号線９０１１を介してＰＬＣ親モデム９００２に照明器１１オンの命令信号を送信する。この命令信号を受けたＰＬＣ親モデム９００２は、ＰＬＣ信号結合器９０１０から電力系統９に照明器１１オン命令信号に基づくＰＬＣ信号を商用交流波に重畳し、照明器１１に付随するＰＬＣ子モデム１１０１に送信する。そして、この照明器１１オンの命令を意味するＰＬＣ信号を受けたＰＬＣ子モデム１１０１は、スイッチ１１０２に対してスイッチをオンさせ、照明器１１は照明するのである。
【００２２】
図５は、照明スイッチ盤９０００にプロトコルコンバータ９００１をＰＬＣ親モデム９００２との間に挿入したものである。照明スイッチ盤９０００は、照明器１１〜４８に対応する３２個のスイッチを有する。これらのスイッチを個別にオンオフすると信号線９０１２（照明器１１〜４８に対応する３２対の信号線で構成）を介してプロトコルコンバータ９００１に各電力線を介してオンオフが伝わる。プロトコルコンバータ９００１は、各電力線に対応する電圧値や電流値の変化を監視し、（例えば接点電圧値が所定の閾値を超えるならスイッチオンと判断する。）、スイッチオンと判断した信号線に該当する照明器をオンにすべく通信線９０１１を介してＰＬＣ親モデム９００２にオンの命令信号を送信する。
【００２３】
図６は、インターネット９００９を介して外部から照明器のオンオフを制御する制御装置として制御用コンピュータ９００７と携帯電話９００８を接続した図である。制御用サーバ９００４がインターネットを経由して提供するアプリケーションにより、制御用コンピュータ９００７と携帯電話９００８は、ＰＬＣ親モデム９００２あてのパケットをインターネット９００９、ルータ９００６、更に、スイッチングハブ９００５、制御用サーバ９００４を介してＰＬＣ親モデム９００２に送信し照明器のオンオフを制御することができる。もしくは、外部に設置される制御用コンピュータ９００７と携帯電話９００８に導入されたアプリケーションにより、ＰＬＣ親モデム９００２あてのパケットをインターネット９００９、ルータ９００６、更に、スイッチングハブ９００５経由で送信し照明器のオンオフ制御することもできる。なお、制御用サーバ９００４では、制御用コンピュータ９００３、９００７と携帯電話９００８からの設定情報により、所定の時刻になると自動的に照明器のオンオフをするプログラミング制御も可能である。
【００２４】
（照明器制御するための表示手段と入力手段）
上述したように、制御装置である制御用コンピュータ９００３は制御用コンピュータ９００３の表示手段であるディスプレーと入力手段であるポインティングデバイスを有する。
【００２５】
図７と図８は、このディスプレーに上述の体育館１００の照明器１１〜４８の位置を示す記号を平面的または立体的に表示した図である。
【００２６】
例えば、図７において、フィールド１（１３０）のすべての照明器をオンする場合、平面的に配置された照明器１１〜４８においてポインティングデバイスを照明器３１の左下から照明器４８の右上に領域指定し、照明オンのボタン（図示せず）をクリックすることも可能である。
【００２７】
また、体育館１００の天井から各照明器までの距離が異なる場合、図８のような立体的な斜視図において、ポインティングデバイスを各照明器個別に指定し、照明オンのボタン（図示せず）をクリックすることも可能である。なお、制御対象の照明器を特定できる方法であればよく、図７や図８における照明器１１〜４８のいずれかの照明器の指定方法に限定されない。
【００２８】
また、一般的には、本実施例のように照明器を複数の群パターンに従って扱う場合が多い。本実施例の場合、図１に示すようにコートＡ（１１０）とコートＢ（１２０）の二群に分ける群パターン１や図２に示すようにフィールド１（１３０）とフィールド２（１４０）の二群に分ける群パターン２がある。
【００２９】
この場合、群パターン１と群パターン２は制御用コンピュータ９００３のメモリ（群パターン記憶機能）に予め記憶される。群パターン１の記憶内容は、図１に示されるようにコートＡ（１１０）に属する照明器群とコートＢ（１２０）に属する照明器群とに分けられる。群パターン２の記憶内容も同様に、図２に示されるようにフィールド１（１３０）に属する照明器群とフィールド２（１４０）に属する照明器群とに分けられる。
【００３０】
照明器を群により点灯／消灯の制御を行う場合、まず、群パターン１と群パターン２とがこの制御用コンピュータ９００３のディスプレーに表示され、ポインティングデバイスによって選択される（群パターン選択機能）。群パターン２がポインティングデバイスによって選択された場合、図２に示されるようなフィールド１（１３０）に属する照明器群とフィールド２（１４０）に属する照明器群とがディスプレーに表示され、各々の群についての点灯／消灯がポインティングデバイスによって選択される。
【００３１】
例えば、フィールド１（１３０）に属する照明器群の点灯が選択された場合、制御用コンピュータ９００３は、これらの照明器をオンにすべく電力系統１〜８を介してこれらの照明器と一対をなすＰＬＣ子モデムにオンの命令信号を送信する。
【００３２】
以上は、フィールド１（１３０）に属する照明器群を点灯する場合の例であるが、フィールド１（１３０）に属する照明器群を消灯する場合、更には、コートＡ（１１０）に属する照明器を点灯／消滅する場合の制御用コンピュータ９００３の基本的な制御は同様であり、上述の例には限定されない。
【００３３】
今回開示された実施の形態はすべての点で例示であって制限的なものではないと考えられるべきである。本発明の範囲は、上記の意味ではなく、特許請求の範囲によって示され、特許請求の範囲と均等の意味および範囲内でのすべての変更が含まれることが意図される。
【図面の簡単な説明】
【００３４】
【図１】体育館などの照明器の電力線系統の構成を示す模式図である。
【図２】体育館などの照明器の電力線系統の構成を示す模式図である。
【図３】本発明実施の形態にかかる照明器制御システムの構成を示す模式図である。
【図４】本発明実施の形態にかかる照明器制御システムの構成を示す模式図である。
【図５】本発明実施の形態にかかる照明器制御システムの構成を示す模式図である。
【図６】本発明実施の形態にかかる照明器制御システムの構成を示す模式図である。
【図７】本発明実施の形態にかかる照明器制御システムの表示手段の画面を示す模式図である。
【図８】本発明実施の形態にかかる照明器制御システムの表示手段の画面を示す模式図である。
【符号の説明】
【００３５】
１〜９        電力系統１〜９
１１〜４８    照明器１１〜４８
１００        体育館
１１０        コートＡ
１２０        コートＢ
１３０        フィールド１
１４０        フィールド２
１１００      電力支線
１１０１      ＰＬＣ子モデム
１１０２      スイッチ
１１０３      ＰＬＣ信号結合器
９０００      照明スイッチ盤
９００１      プロトコルコンバータ
９００２      ＰＬＣ親モデム
９００３      制御用コンピュータ
９００４      制御用サーバ
９００５      スイッチングハブ
９００６      ルータ
９００７      制御用コンピュータ
９００８      携帯電話
９００９      インターネット
９０１０      ＰＬＣ信号結合器
９０１１      通信線
９０１２      信号線
【図１】
2008199250.tif 000003
【図２】
2008199250.tif 000004
【図３】
2008199250.tif 000005
【図４】
2008199250.tif 000006
【図５】
2008199250.tif 000007
【図６】
2008199250.tif 000008
【図７】
2008199250.tif 000009
【図８】
2008199250.tif 000010